【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
狭小ディスプレイ・デバイス上にロール・ベース・ユーザー・インターフェース（ＵＩ）を表示する方法であって、
ユーザーの役割を決定するステップと、
前記ユーザーの役割に基づいて、類似し共通に用いられる機能コンポーネントをグループ化するステップと、
前記ユーザーの役割に基づいて、前記機能コンポーネントの内少なくとも１つにおける機能を構成するステップと、
各グループ化した機能コンポーネントが単一の画面から選択可能なように、前記狭小ディスプレイ・デバイスの前記単一の画面上の前記ロール・ベースＵＩ内に前記グループ化した機能コンポーネントを表示するステップと、
前記ロール・ベースＵＩから、前記グループ化した機能コンポーネント内の前記機能コンポーネントの１つを選択する入力を受け取るステップと、
前記ロール・ベースＵＩが前記選択された機能コンポーネントにおいて前記構成された機能と対話処理するのを容易にするように、前記選択された機能コンポーネントに関係するコンポーネント画面を表示するために、前記ロール・ベースＵＩを更新するステップであって、
前記選択された機能コンポーネントが１つ以上の選択可能な選択肢を含み、
前記１つ以上の選択可能な選択肢が、前記機能コンポーネントが選択されたときに、表示のために１つ以上のデフォルト・フィールドを選択する設定値選択肢を含み、
前記選択された機能コンポーネントの前記１つ以上の選択可能な選択肢が、前記ユーザーの役割に基づいて変化する、
ステップと
を含む、方法。
【請求項２】
請求項１記載の方法であって、更に、前記コンポーネント画面の表示と共に、機能コンポーネント毎に選択可能な選択肢を表示するステップを含み、選択されたときに、前記選択された選択肢に関連付けられた機能コンポーネントに関係する機能を表示するために、前記コンポーネント画面の表示を更新する、方法。
【請求項３】
請求項１記載の方法において、前記グループ化した機能コンポーネントが、出費コンポーネントおよび時間コンポーネントを含む、方法。
【請求項４】
請求項１記載の方法において、前記グループ化した機能コンポーネントが、ユーザーがチーム構成員であるプロジェクトに関する通知を供給する通知コンポーネントと、報告コンポーネントとを含む、方法。
【請求項５】
請求項１記載の方法であって、更に、前記選択された機能コンポーネントと対話処理する入力を受けることに応答して、クラウド・ベース・サービスにアクセスするステップを含む、方法。
【請求項６】
請求項３記載の方法であって、更に、前記出費コンポーネントの選択を受けたことに応答して、出費画面を表示するステップを含み、前記出費画面が、前記出費の日付を設定するための選択肢、プロジェクト識別子、前記出費のカテゴリー、前記出費の額、前記出費についての特記事項、および前記出費の写真を含む、方法。
【請求項７】
請求項３記載の方法であって、更に、前記時間コンポーネントの選択を受けたことに応答して、時刻情報画面を表示するステップを含み、前記時刻情報画面が、時刻情報の時間期間を決定するための選択肢と、前記時刻情報の日付を設定するための選択肢と、前記時刻情報についての特記事項と、プロジェクト識別子を入力するための選択肢とを含む、方法。
【請求項８】
請求項１記載の方法であって、更に、共作コンポーネントの選択を受けたことに応答して、共作画面を表示するステップを含み、前記共作画面が、共有する情報を示すための選択肢と、前記共有する情報に関連付けられた選択肢を構成するための選択肢とを含む、方法。
【請求項９】
請求項１記載の方法において、前記ユーザーの役割に基づいて、類似し共通に用いられる機能コンポーネントをグループ化するステップが、プロジェクトに関連付けられる前記ユーザーに割り当てられるタスクを決定するステップを含む、方法。
【請求項１０】
プロセッサーが実施すると、狭小ディスプレイ・デバイス上にロール・ベース・ユーザー・インターフェース（ＵＩ）を表示するための方法を前記プロセッサーに実行させるコンピューター実行可能命令を有するコンピューター記憶デバイスであって、前記方法が、
プロジェクトにおけるユーザーの役割に基づいて、類似し共通に用いられる機能コンポーネントをグループ化するステップと、
前記ユーザーの役割に基づいて、前記機能コンポーネントの内少なくとも１つにおける機能を構成するステップと、
各グループ化した機能コンポーネントが単一の画面から選択可能なように、前記狭小ディスプレイ・デバイスの前記単一の画面上の前記ロール・ベースＵＩ内に前記グループ化した機能コンポーネントを表示するステップと、
前記ロール・ベースＵＩから、前記グループ化した機能コンポーネント内の前記機能コンポーネントの１つを選択する入力を受け取るステップと、
前記ロール・ベースＵＩが前記選択された機能コンポーネントにおいて前記構成された機能と対話処理するのを容易にするように、前記選択された機能コンポーネントに関係するコンポーネント画面を表示するために、前記ロール・ベースＵＩを更新するステップであって、
前記選択された機能コンポーネントが１つ以上の選択可能な選択肢を含み、
前記１つ以上の選択可能な選択肢が、前記機能コンポーネントが選択されたときに、１つ以上のデフォルト・フィールドを表示のために選択する設定値選択肢を含み、
前記選択された機能コンポーネントの内前記１つ以上の選択可能な選択肢が、前記ユーザーのロールに基づいて変化する、
ステップと、
前記ロール・ベースＵＩとの対話処理から得られた情報によって、クラウド・ベース・サービスを更新するステップと、
を含む、コンピューター記憶デバイス。
【請求項１１】
請求項１０記載のコンピューター記憶デバイスにおいて、前記方法が、更に、
前記コンポーネント画面の表示と共に、機能コンポーネント毎に選択可能な選択肢を表示するステップを含み、選択されたときに、前記選択された選択肢に関連付けられた機能コンポーネントに関係する機能を表示するために、前記コンポーネント画面の表示を更新する、コンピューター記憶デバイス。
【請求項１２】
請求項１０記載のコンピューター記憶デバイスにおいて、
前記グループ化した機能コンポーネントが、出費コンポーネントと、時間コンポーネントと、ユーザーがチーム構成員であるプロジェクトに関する通知を供給する通知コンポーネントと、報告コンポーネントとを含む、コンピューター記憶デバイス。
【請求項１３】
請求項１２記載のコンピューター記憶デバイスにおいて、前記方法が、更に、
前記出費コンポーネントの選択を受けたことに応答して、出費画面を表示するステップを含み、前記出費画面が、前記出費の日付を設定するための選択肢、プロジェクト識別子、前記出費のカテゴリー、および前記出費の額を含む、コンピューター記憶デバイス。
【請求項１４】
請求項１２記載のコンピューター記憶デバイスにおいて、前記方法が、更に、
前記時間コンポーネントの選択を受けたことに応答して、時刻情報画面を表示するステップを含み、前記時刻情報画面が、時刻情報の時間期間を決定するための選択肢、前記時刻情報の日付を設定するための選択肢、およびプロジェクト識別子を入力するための選択肢を含む、コンピューター記憶デバイス。
【請求項１５】
請求項１２記載のコンピューター記憶デバイスにおいて、前記方法が、更に、
共作コンポーネントの選択を受けたことに応答して、共作画面を表示するステップを含み、前記共作画面が、共有する情報を示すための選択肢、および前記共有する情報に関連付けられた選択肢を構成するための選択肢を含む、コンピューター記憶デバイス。
【請求項１６】
請求項１０記載のコンピューター記憶デバイスにおいて、
前記ユーザーの役割に基づいて、類似し共通に用いられる機能コンポーネントをグループ化するステップが、前記ユーザーがプロジェクト・マネージャーであるか、および前記ユーザーがプロジェクト参加者であるかを判定するステップを含む、コンピューター記憶デバイス。
【請求項１７】
狭小ディスプレイ・デバイス上にロール・ベース・ユーザー・インターフェース（ＵＩ）を表示するシステムであって、
ディスプレイと、
接触入力を受けるように構成される接触表面と、
プロセッサーおよびコンピューター記憶デバイスと、
前記コンピューター記憶デバイスに格納され、前記プロセッサー上で実行する動作環境と、
前記動作環境の制御下で動作するＵＩマネージャーと、
を含み、前記ＵＩマネージャーが、
プロジェクトにおけるユーザーの役割に基づいて、類似し共通に用いられる機能コンポーネントをグループ化し、
前記ユーザーの役割に基づいて、前記機能コンポーネントの内少なくとも１つにおける機能を構成し、
前記ロール・ベースＵＩから、前記グループ化した機能コンポーネント内の前記機能コンポーネントの１つを選択するための入力を受け取り、
前記ロール・ベースＵＩが前記選択された機能コンポーネントにおいて前記構成された機能と対話処理するのを容易にするように、前記選択された機能コンポーネントに関係するコンポーネント画面を表示するために、前記ロール・ベースＵＩを更新し、
前記選択された機能コンポーネントが１つ以上の選択可能な選択肢を含み、
前記１つ以上の選択可能な選択肢が、前記機能コンポーネントが選択されたときに、１つ以上のデフォルト・フィールドを表示のために選択する設定値選択肢を含み、
前記ロール・ベースＵＩとの対話処理から得られた情報によって、クラウド・ベース・サービスを更新する
ように動作可能である、システム。
【請求項１８】
請求項１７記載のシステムにおいて、前記グループ化した機能コンポーネントが、出費コンポーネントと、時間コンポーネントと、ユーザーがチーム構成員であるプロジェクトに関する通知を供給する通知コンポーネントと、報告コンポーネントとを含む、システム。
【請求項１９】
請求項１７記載のシステムにおいて、前記グループ化した機能コンポーネントのそれぞれが、単一の画面上に表示される、システム。
【請求項２０】
請求項１８記載のシステムであって、更に、前記時間コンポーネントの選択を受けたことに応答して時刻情報画面を表示し、前記出費コンポーネントの選択を受けたことに応答して出費入力画面を表示し、前記共作コンポーネントの選択を受けたことに応答して、共作画面を表示することを含む、システム。